(57)【要約】【課題】蓋体の閉操作に伴う意図しないスイッチの誤検出を防止する。【解決手段】電気機器（炊飯器１０）は、本体１４と、本体１４に回転可能に取り付けられた蓋体２５と、複数の操作ボタン５８を有する操作パネル５７と、操作ボタン５８に対応するスイッチ素子６３を有する操作基板６２と、操作ボタン５８の操作力をスイッチ素子６３に伝達するスペーサ７１を有するスペーサユニット６７とを備える。スペーサユニット６７の隣接した所定のスペーサ７１間には、操作基板６２に当接する第１凸部８１ａ〜８１ｃと、操作パネル５７に当接する第２凸部８２ａ〜８２ｃとが設けられている。【選択図】図３
2019186115.tif 000002
【特許請求の範囲】
【請求項１】
本体と、
前記本体に回転可能に取り付けられた蓋体と、
複数の操作ボタンを有し、前記蓋体の回転軸とは反対側に設けられた操作パネルと、
前記複数の操作ボタンにそれぞれ対応する複数のスイッチ素子を有し、前記操作パネルの内側に配置された回路基板と、
前記複数の操作ボタンの操作力を前記複数のスイッチ素子にそれぞれ伝達する複数のスペーサを有し、前記操作パネルと前記回路基板の間に配置されたスペーサユニットと
を備え、
前記スペーサユニットの隣接した所定の前記スペーサ間には、前記回路基板に当接する第１凸部と、前記操作パネルに当接する第２凸部とが設けられている、電気機器。
【請求項２】
前記スペーサユニットは、前記回転軸の軸線と同じ方向に延びる基部を備え、
前記複数のスペーサは、前記基部から突出した弾性変形可能な弾性片にそれぞれ連設されており、
前記第１凸部と前記第２凸部は、前記基部に突設されている、請求項１に記載の電気機器。
【請求項３】
前記第１凸部と前記第２凸部は、同一直線上に配置されている、請求項１又は２に記載の電気機器。
【請求項４】
前記複数のスペーサは、前記基部の前記回転軸とは反対側に配置された第１スペーサ群と、前記基部の前記回転軸側に配置された第２スペーサ群とを含み、
前記第２凸部は、前記第１スペーサ群の隣接した２個の前記スペーサとこれらの間に対向する前記第２スペーサ群の１個の前記スペーサとの間、又は前記第２スペーサ群の隣接した２個の前記スペーサとこれらの間に対向する前記第１スペーサ群の１個の前記スペーサとの間に設けられている、請求項２又は３に記載の電気機器。
【発明の詳細な説明】
【技術分野】
【０００１】
本発明は、電気機器に関する。
【背景技術】
【０００２】
本体と、本体に対して回転可能に取り付けられた蓋体と、定められた処理を実行させるための操作パネルとを備える電気機器が知られている。この電気機器では、操作パネルの内側に回路基板が配置され、これらの間にスペーサユニットが更に配置されている。
【０００３】
特許文献１には、スイッチの必要数が異なる機種に同一のスペーサユニットを配置するようにした電気機器が開示されている。スペーサユニットは、スイッチ数が最も多い機種に対応する複数のスペーサを備える。スイッチ数が少ない機種にスペーサユニットを搭載する場合、回路基板にはスイッチ素子の代わりにダミー部品が配置される。これにより、操作パネルの非使用スペーサに対応する部分が押された際、操作パネルが撓むことを防止し、近傍のスペーサの移動によるスイッチ素子の誤操作を防止している。
【先行技術文献】
【特許文献】
【０００４】
【特許文献１】特開２００２−３５８８５１号公報
【発明の概要】
【発明が解決しようとする課題】
【０００５】
特許文献１の電気機器では、制御基板にダミー部品を配置する必要があるため、コスト高になる。また、操作パネルが本体に設けられており、本体に対して蓋体を閉じる際の誤検出防止については、何も考慮されていない。
【０００６】
本発明は、蓋体の閉操作に伴う意図しないスイッチの誤検出を防止できる電気機器を提供することを課題とする。
【課題を解決するための手段】
【０００７】
本発明の一態様は、本体と、前記本体に回転可能に取り付けられた蓋体と、複数の操作ボタンを有し、前記蓋体の回転軸とは反対側に設けられた操作パネルと、前記複数の操作ボタンにそれぞれ対応する複数のスイッチ素子を有し、前記操作パネルの内側に配置された回路基板と、前記複数の操作ボタンの操作力を前記複数のスイッチ素子にそれぞれ伝達する複数のスペーサを有し、前記操作パネルと前記回路基板の間に配置されたスペーサユニットとを備え、前記スペーサユニットの隣接した所定の前記スペーサ間には、前記回路基板に当接する第１凸部と、前記操作パネルに当接する第２凸部とが設けられている、電気機器を提供する。
【０００８】
ここで、第１凸部が回路基板に当接し、第２凸部が操作パネルに当接するとは、操作パネルに外力が加わっていない状態で当接している構成と、外力が加わることによって当接する構成の両方が含まれる。後者の場合、第１凸部と回路基板の間と第２凸部と操作パネルの間とを合わせた合計の隙間は、スイッチ素子の操作ストロークよりも小さくする。
【０００９】
本体に対して蓋体を閉じる際、ユーザは蓋体の先端側、つまり操作パネルが設けられている蓋体の回転軸とは反対側を押すことが多いため、この閉操作によって操作パネルが撓むと、スイッチの誤検出が生じ易い。しかし、この態様によれば、隣接した所定のスペーサ間に、回路基板に当接する第１凸部と操作パネルに当接する第２凸部とが設けられている。よって、ユーザが操作ボタン間を押しても、第１凸部と第２凸部が回路基板と操作パネルに当接することで、スイッチ素子のオン操作を阻止できる。その結果、意図しないスイッチの誤検出を防止できる。また、回路基板にはダミー部品を配置する必要がないため、製造コストの増大を抑制できる。
【００１０】
前記スペーサユニットは、前記回転軸の軸線と同じ方向に延びる基部を備え、前記複数のスペーサは、前記基部から突出した弾性変形可能な弾性片にそれぞれ連設されており、前記第１凸部と前記第２凸部は、前記基部に突設されている。ここで、同じ方向に延びるとは、平行に延びる構成は勿論、回転軸の軸線に対して基部が多少傾斜した構成が含まれる。この態様によれば、基部に設けた第１凸部と第２凸部がスペーサの動作に影響を及ぼすことはないため、通常の使用時には操作ボタンの操作力をスイッチ素子に確実に伝達できる。
【００１１】
前記第１凸部と前記第２凸部は、同一直線上に配置されている。この態様によれば、操作パネルの押圧によって第２凸部を介して基部が撓むことはないため、意図しないスイッチの誤検出を効果的に防止できる。
【００１２】
前記複数のスペーサは、前記基部の前記回転軸とは反対側に配置された第１スペーサ群と、前記基部の前記回転軸側に配置された第２スペーサ群とを含み、前記第２凸部は、前記第１スペーサ群の隣接した２個の前記スペーサとこれらの間に対向する前記第２スペーサ群の１個の前記スペーサとの間、又は前記第２スペーサ群の隣接した２個の前記スペーサとこれらの間に対向する前記第１スペーサ群の１個の前記スペーサとの間に設けられている。この態様によれば、スペーサユニットに形成する第２凸部の数を削減しつつ、スイッチの誤検出を確実に防止できる。
【発明の効果】
【００１３】
本発明の電気機器では、所定のスペーサ間に、回路基板に当接する第１凸部と操作パネルに当接する第２凸部とが設けられているため、蓋体を閉じる際の意図しないスイッチの誤検出を防止できる。また、回路基板にはダミー部品を配置する必要がないため、電気機器の製造コストの増大を抑制できる。
【図面の簡単な説明】
【００１４】
【図１】本発明の実施形態に係る電気機器を示す斜視図。
【図２】蓋体を開いた電気機器の斜視図。
【図３】蓋体の分解斜視図。
【図４】蓋体の操作パネル部分の断面図。
【図５】回路基板と液晶表示装置を配置する部分の斜視図。
【図６】回路基板、スペーサユニット、及び液晶表示装置の関係を示す平面図。
【図７】回路基板とスペーサユニットの斜視図。
【図８】スペーサユニットの下方斜視図。
【発明を実施するための形態】
【００１５】
以下、本発明の実施の形態を図面に従って説明する。
【００１６】
図１及び図２は、本発明の実施形態に係る電気機器の一例である炊飯器１０を示す。この炊飯器１０は、炊飯鍋１２が着脱可能に配置される炊飯器本体１４と、炊飯器本体１４に開閉可能に取り付けられた蓋体２５とを備える。蓋体２５には、炊飯器１０を操作するための操作部５５が設けられており、本実施形態では操作部５５における操作ボタン５８以外の部分、つまり操作パネル５７が押されることによる意図しない誤検出を効果的に防止する。
【００１７】
（炊飯器の概要）
図１及び図２に示すように、炊飯器本体１４は、上端を開口した本体外装体１５と、本体外装体１５の開口を塞ぐ肩体１６とを備える。肩体１６の背部には、蓋体２５を回転可能に取り付けるヒンジ接続部１７が設けられている。また、肩体１６の側部には、持ち運び用のハンドル１８が回転可能に取り付けられている。
【００１８】
炊飯器本体１４は、有底筒状の炊飯鍋１２を収容する収容部１９を備える。収容部１９は、円筒状に形成された金属製の内胴２０と、受皿状に形成された樹脂（非導電性材料）製の保護枠２１とを備える有底筒状であり、肩体１６の開口の下部に配置されている。保護枠２１の外側には、炊飯鍋１２を誘導加熱するコイル（図示せず）が配置されている。図示しない制御部がコイルを含む電気部品を制御することで、炊飯鍋１２内の飯米を炊飯する処理が実行される。
【００１９】
図２及び図３に示すように、蓋体２５は、肩体１６の上面を覆う平面視形状の蓋本体２６と、蓋本体２６の上部を覆う蓋外装体３０とを備える。
【００２０】
蓋本体２６の背部には回転軸２７が取り付けられ、この回転軸２７がヒンジ接続部１７に回転可能に取り付けられている。蓋本体２６には、炊飯鍋１２を臨む内側に位置するように、炊飯鍋１２の上端開口を閉塞する内蓋２８が設けられている。蓋体２５に対して内蓋２８は、着脱可能に配置してもよいし、取外不可能に配置してもよい。
【００２１】
図３に示すように、蓋外装体３０は、蓋本体２６を覆うように配置される下端開口のベース部材３１を備える。ベース部材３１の外周には、化粧パネルとして、一対の側面パネル３３、１枚の前面パネル３４、及び１枚の背面パネル３５とが配置されている。また、ベース部材３１の外周を覆う天壁３２の外面には、天面パネル３６が配置されている。
【００２２】
天面パネル３６には、回転軸２７が位置する背部側に第１の露出孔３７が設けられ、回転軸２７と反対側（蓋体２５の先端側）に第２の露出孔３８が設けられている。第１の露出孔３７内には、炊飯鍋１２内の蒸気を外部に排出する排気通路の排気部３９が配置されている。第２の露出孔３８内には、蓋体２５を開くための開操作部材４０が配置されている。図１において開操作部材４０を下向きに操作することで、図２に示すロック爪４２が炊飯器本体１４のロック穴４３から離脱する向きに回転し、図示しないヒンジスプリングの付勢力によって蓋体２５が炊飯器本体１４に対して開放する。なお、ロック爪４２が形成された図３に示すロック部材４１は、スプリングによってロック爪４２がロック穴４３に係止する向きに付勢されている。
【００２３】
天面パネル３６の露出孔３７，３８の間には、表示部５０と操作部５５が設けられている。
【００２４】
図３及び図４に示すように、表示部５０は、天面パネル３６に形成された窓５１と、窓５１の内側に配置された液晶表示装置５２とを備える。窓５１は、液晶表示装置５２の表示を透視可能であり、蓋体２５の概ね中央に位置するように排気部３９の近傍に設けられている。液晶表示装置５２は、制御部によって制御され、炊飯器１０の動作状態、及び操作部５５の操作状態を表示する。
【００２５】
操作部５５は、天面パネル３６の一部によって構成された操作パネル５７、操作パネル５７の内側に配置された操作基板（回路基板）６２、及び操作パネル５７と操作基板６２の間に配置されたスペーサユニット６７を備える。操作部５５は、蓋体２５の先端側に位置するように、開操作部材４０の近傍に設けられている。操作パネル５７には、複数の操作ボタン５８が設けられている。図７を参照すると、操作基板６２には、複数の操作ボタン５８にそれぞれ対応する複数のスイッチ素子６３が配置されている。スペーサユニット６７は、複数の操作ボタン５８と複数のスイッチ素子６３の間にそれぞれ位置する複数のスペーサ７１を有する。
【００２６】
開放した蓋体２５を閉じる場合、ユーザは天面パネル３６に手を当て、ヒンジスプリングの付勢力に抗して蓋体２５を下向きに押す。そして、ロック爪４２をロック穴４３に係止する際には、更にスプリングの付勢力に抗してロック部材４１を回転させるために、より大きな力を加える必要がある。
【００２７】
この際、蓋体２５の先端側には操作ボタン５８が配置されているため、ユーザの指は操作ボタン５８の近傍に位置する。指が操作ボタン５８に当たっていなくても、ユーザの閉操作力で操作パネル５７が撓むと、近傍のスペーサ７１が操作基板６２に向けて移動し、対応するスイッチ素子６３がオン操作されることがある。本発明は、このような操作部５５における誤検出を防止するものである。
【００２８】
（操作部の詳細）
図３及び図４に示すように、操作部５５は、前述した操作パネル５７、操作基板６２、及びスペーサユニット６７を備える。ベース部材３１の天壁３２には、表示部５０及び操作部５５と対応する部分に凹部４５が形成されている。
【００２９】
図３から図５に示すように、凹部４５は、取付部材５３を含む液晶表示装置５２、操作基板６２、及びスペーサユニット６７を配置するために設けられている。凹部４５の底には挿通孔４６が設けられ、挿通孔４６を通して配索されたケーブル（図示せず）によって、制御部（制御基板）に対して液晶表示装置５２と操作基板６２が電気的に接続されている。
【００３０】
ベース部材３１の天壁３２には、凹部４５を取り囲むように嵌合溝４７が設けられている。図４を参照すると、操作パネル５７には嵌合溝４７内に配置される嵌合突起５９が設けられている。嵌合溝４７と嵌合突起５９の間は、シール部材によって液密かつ気密にシールされている。なお、図５中の符号４８は、凹部４５内の空気の水分と操作基板６２に含まれていた水分とを吸着する乾燥剤の配置部である。
【００３１】
図４に示すように、操作パネル５７の操作ボタン５８は、スペーサ７１を配置する貫通孔６０の外側を、可撓性を有する膜部材６１によって覆った構成である。図３を参照すると、複数の操作ボタン５８には、炊飯処理を開始させる炊飯ボタン５８ａ、保温処理を開始させる保温ボタン５８ｂ、及び炊飯処理と保温処理を終了させるとりけしボタン５８ｃが含まれている。また、複数の操作ボタン５８には、炊飯メニューを変更するためのメニューボタン５８ｄ、飯米が無洗米であることを選択する無洗米ボタン５８ｅ、液晶表示装置５２に表示された現在時刻及び炊飯予約時刻を変更するためのアップボタン５８ｆとダウンボタン５８ｇ、及び予約炊飯を選択するための予約ボタン５８ｈが含まれている。
【００３２】
アップボタン５８ｆとダウンボタン５８ｇは、セットであるため１個の貫通孔６０の右側部分と左側部分によって構成されている。その他のボタン５８ａ〜５８ｅ，５８ｈ，５８ｉは、それぞれ１個の貫通孔６０によって構成されている。これらのうち、３個の操作ボタン５８ａ〜５８ｃは、操作頻度が高いため、ユーザの操作性を考慮して蓋体２５の先端側に配置されている。また、操作ボタン５８ａ〜５８ｃは、回転軸２７の軸線Ａに沿って等間隔で設けた３個の貫通孔６０に配置されている。操作ボタン５８ｄ〜５８ｈは、使用頻度が低いため、操作ボタン５８ａ〜５８ｃよりも背部側に配置されている。また、操作ボタン５８ｄ〜５８ｈは、アップボタン５８ｆとダウンボタン５８ｇを１セットとし、回転軸２７の軸線Ａに沿って等間隔で設けた４個の貫通孔６０に配置されている。
【００３３】
図６及び図７に示すように、操作基板６２は、操作部５５の下部に位置する第１部分６２ａと、取付部材５３（表示部５０）の両側に位置する一対の第２部分６２ｂとを備える。第１部分６２には、操作ボタン５８ａ〜５８ｈの直下に位置するように、スイッチ素子６３ａ〜６３ｈがそれぞれ配置されている。スイッチ素子６３ａ〜６３ｈとしては、例えば、上向きに突出した受部が定められた操作ストロークで下向きに移動されると、接点がオン状態になる常開のタクトスイッチを用いることができる。
【００３４】
操作基板６２には、スペーサユニット６７を位置決めする位置決め孔６４ａと、取付部材５３を位置決めする位置決め孔６４ｂとが形成されている。これらの位置決め孔６４ａ，６４ｂは、操作基板６２の上面から下面にかけて円形状に貫通している。また、操作基板６２には、スペーサユニット６７を係止する係止孔６５ａと、取付部材５３を係止する係止孔６５ｂとが設けられている。これらの係止孔６５ａ，６５ｂは、操作基板６２の上面から下面にかけて四角形状に貫通している。
【００３５】
図６から図８に示すように、スペーサユニット６７は、回転軸２７の軸線Ａと同じ向きに延びる基部６８と、操作ボタン５８ａ〜５８ｈと同数のスペーサ７１ａ〜７１ｈとを備え、これらを弾性片７６によって一体構造とした樹脂成形品である。
【００３６】
基部６８は、操作パネル５７と操作基板６２に対して間隔をあけて位置するように、これらの中間部分に配置されている（図４参照）。本実施形態の基部６８は、回転軸２７の軸線Ａに対して平行に配置されているが、多少傾斜して配置されていてもよい。基部６８の両側には、回転軸２７に対して交差する方向に突出し、操作基板６２に対して平行に位置する側部６９がそれぞれ設けられている。また、スペーサ７１ｅ，７１ｆ間と７１ｂ，７１ｃ間に位置するように、基部６８の中間部分には、回転軸２７の軸線Ａに対して交差する向きに突出し、操作基板６２に沿って延びる突出部７０がそれぞれ設けられている。
【００３７】
スペーサ７１ａ〜７１ｈは、操作ボタン５８ａ〜５８ｈとスイッチ素子６３ａ〜６３ｈの間にそれぞれ配置され、操作ボタン５８ａ〜５８ｈの操作力をスイッチ素子６３ａ〜６３ｈにそれぞれ伝達する。スペーサ７１ａ〜７１ｈは、操作ボタン５８ａ〜５８ｈと概ね同一形状の底板７２を備え、この底板７２によってスイッチ素子６３ａ〜６３ｈをオン作動させる。
【００３８】
底板７２には、外周から上向きに突出した枠板７３と、平面視＋字形状をなすように上向きに突出した中板７４とが設けられ、これらの上部が操作パネル５７の貫通孔６０内に配置されている。スペーサ７１ａ〜７１ｃの底板７２には、円弧状をなすように下向きに突出した規制板７５が形成されている。この規制板７５は、操作基板６２に当接することで、スペーサ７１ａ〜７１ｃの過度な移動によるスイッチ素子６３ａ〜６３ｃの破損を防ぐために設けられている。
【００３９】
スペーサ７１ａ〜７１ｃの弾性片７６は、基部６８から前向きに突出し、スペーサ７１ｄ〜７１ｈの弾性片７６は、基部６８から後向きに突出している。弾性片７６は、スペーサ７１ａ〜７１ｈの上下方向の移動を許容するために、基部６８の厚みよりも薄く、弾性的に変形可能な厚みで形成されている。個々のスペーサ７１ａ〜７１ｈに対して弾性片７６は、２本ずつ設けられている。
【００４０】
基部６８には、炊飯ボタン５８ａ、保温ボタン５８ｂ及び予約ボタン５８ｈのスペーサ７１ａ，７１ｂ，７１ｈに隣接するように、操作基板６２に配置されたＬＥＤ（図示せず）を配置する筒部７７が設けられている。スペーサ７１ａ，７１ｂの筒部７７は、基部６８から膨出するように形成され、スペーサ７１ａ，７１ｂの取付部材５３側に位置している。スペーサ７１ｈの筒部７７は、平面視Ｌ字形状をなすように突出するアーム７８の先端に形成され、スペーサ７１ｈの取付部材５３側に位置している。
【００４１】
図８に最も明瞭に示すように、基部６８には、位置決め孔６４ａに挿入される円柱状の位置決め突部７９と、係止孔６５ａに係止する係止突起８０とが設けられている。これらは、操作基板６２に向けて下向きに突設されている。
【００４２】
基部６８の所定位置と側部６９及び突出部７０の先端には、操作基板６２の上面に当接する複数の第１凸部８１が下向きに突設されている。図６及び図７に示すように、基部６８の中央には、操作パネル５７の下面に当接する３個の第２凸部８２ａ〜８２ｃが上向きに突設されている。複数の第１凸部８１のうち、基部６８の中央に位置する３個の１凸部８１ａ〜８１ｃは、第２凸部８２ａ〜８２ｃに対して同一直線上に位置するように、上下に配置されている。
【００４３】
第１凸部８１ａ〜８１ｃが操作基板６２に当接し、第２凸部８２ａ〜８２ｃが操作パネル５７に当接するとは、操作パネル５７に外力（下向きの力）が加わっていない状態で当接している構成と、外力が加わることによって当接する構成の両方が含まれる。後者の場合、第１凸部８１ａと操作基板６２の間と第２凸部８２ａと操作パネル５７の間を合わせた合計の隙間、第１凸部８１ｂと操作基板６２の間と第２凸部８２ｂと操作パネル５７の間を合わせた合計の隙間、及び第１凸部８１ｃと操作基板６２の間と第２凸部８２ｃと操作パネル５７の間を合わせた合計の隙間は、それぞれスイッチ素子６３ａ〜６３ｈの操作ストロークよりも小さく設定される。
【００４４】
図６に最も明瞭に示すように、第１凸部８１ａ〜８１ｃと第２凸部８２ａ〜８２ｃは、隣接した所定のスペーサ７１間に位置するように設けられている。より具体的に説明すると、複数のスペーサ７１は、蓋体２５の先端側に位置する第１スペーサ７１ａ〜７１ｃ群と、蓋体２５の背部側に位置する第２スペーサ７１ｄ〜７１ｈ群とに大別される。凸部８１ａ，８２ａは、第１スペーサ群のスペーサ７１ｂ，７１ｃと、これらの間に対向する第２スペーサ群のスペーサ７１ｅとの間に位置するように、設けられている。凸部８１ｂ，８２ｂは、第２スペーサ群のスペーサ７１ｅ，７１ｆと、これらの間に対向する第１スペーサ群のスペーサ７１ｂとの間に位置するように、設けられている。凸部８１ｃ，８２ｃは、第１スペーサ群のスペーサ７１ａ，７１ｂと、これらの間に対向する第２スペーサ群のスペーサ７１ｇとの間に位置するように、設けられている。なお、隣接した２個のスペーサに対向する１個のスペーサは、基部６８の延びる方向の一部が２個のスペーサのうちの一部に重複していてもよい。
【００４５】
第１凸部８１ａ〜８１ｃと第２凸部８２ａ〜８２ｃが設けられていない場合、前述のように操作パネル５７に下向きの力が加わると、内部に凹部４５（空間）が形成されているため、操作パネル５７が下向きに撓むことが可能である。そして、操作パネル５７では、回転軸２７の軸線Ａが延びる方向における中央部分の撓み量が最も大きくなる。
【００４６】
しかし、本実施形態では、スペーサユニット６７の中央部分に、操作基板６２に当接する第１凸部８１ａ〜８１ｃと、操作パネル５７に当接する第２凸部８２ａ〜８２ｃとが設けられている。よって、ユーザが操作ボタン５８ａ，５８ｂ間又は５８ｂ，５８ｃ間を押しても、操作パネル５７に第２凸部８２ａ〜８２ｃが当接し、第１凸部８１ａ〜８１ｃが操作基板６２に当接することで、操作パネル５７の撓みが阻止される。その結果、操作パネル５７の撓みによってスペーサ７１ａ〜７１ｈのうちのいずれかが移動し、対応するスイッチ素子６３ａ〜６３ｈがオン状態になるという、意図しない誤検出を防止できる。
【００４７】
操作基板６２にはダミー部品を配置する必要がないため、炊飯器１０の製造コストの増大を抑制できる。複数のスペーサ７１ａ〜７１ｈは、弾性片７６によって基部６８に一体成形されているため、製造時の組立作業性を向上できる。また、第１凸部８１ａ〜８１ｃと第２凸部８２ａ〜８２ｃは、スペーサ７１ａ〜７１ｈと離間した基部６８に設けられているため、第１凸部８１ａ〜８１ｃと第２凸部８２ａ〜８２ｃがスペーサ７１ａ〜７１ｈの動作に影響を及ぼすことを防止できる。よって、通常の使用時には操作ボタン５８の操作力をスイッチ素子６３に確実に伝達できる。
【００４８】
第１凸部８１ａ〜８１ｃと第２凸部８２ａ〜８２ｃは同一直線上に形成されているため、操作パネル５７の押圧によって、第２凸部８２ａ〜８２ｃを介して基部６８が撓むことはない。よって、操作パネル５７の押圧による意図しないスイッチの誤検出を効果的に防止できる。また、第２凸部８２ａ〜８２ｃは３個のスペーサ７１間に設けられているため、スペーサユニット６７に形成する第２凸部８２ａ〜８２ｃの数を削減しつつ、スイッチの誤検出を確実に防止できる。
【００４９】
なお、本発明の電気機器（炊飯器１０）は、前記実施形態の構成に限定されず、種々の変更が可能である。
【００５０】
例えば、第２凸部は、隣接した全てのスペーサ間に設けてもよいし、第１凸部も隣接した全てのスペーサ間に設けてもよい。第１凸部と第２凸部は、回転軸の軸線が延びる方向において、基部の異なる位置に突設してもよい。
【００５１】
前記実施形態では炊飯器１０を例に挙げて説明したが、スペーサユニットに第１凸部と第２凸部を設けるという本発明の構成は、本体と、本体に回転可能に取り付けられた蓋体とを備え、蓋体に操作パネルを形成する電気機器であれば適用可能であり、同様の作用及び効果を得ることができる。
【符号の説明】
【００５２】
１０…炊飯器（電気機器）
１２…炊飯鍋
１４…炊飯器本体（本体）
１５…本体外装体
１６…肩体
１７…ヒンジ接続部
１８…ハンドル
１９…収容部
２０…内胴
２１…保護枠
２５…蓋体
２６…蓋本体
２７…回転軸
２８…内蓋
３０…蓋外装体
３１…ベース部材
３２…天壁
３３…側面パネル
３４…前面パネル
３５…背面パネル
３６…天面パネル
３７…露出孔
３８…露出孔
３９…排気部
４０…開操作部材
４１…ロック部材
４２…ロック爪
４３…ロック穴
４５…凹部
４６…挿通孔
４７…嵌合溝
４８…配置部
５０…表示部
５１…窓
５２…液晶表示装置
５３…取付部材
５５…操作部
５７…操作パネル
５８，５８ａ〜５８ｈ…操作ボタン
５９…嵌合突起
６０…貫通孔
６１…膜部材
６２…操作基板（回路基板）
６２ａ…第１部分
６２ｂ…第２部分
６３，６３ａ〜６３ｈ…スイッチ素子
６４ａ，６４ｂ…位置決め孔
６５ａ，６５ｂ…係止孔
６７…スペーサユニット
６８…基部
６９…側部
７０…突出部
７１，７１ａ〜７１ｈ…スペーサ
７１ａ〜７１ｃ…第１スペーサ群
７１ｄ〜７１ｈ…第２スペーサ群
７２…底板
７３…枠板
７４…中板
７５…規制板
７６…弾性片
７７…筒部
７８…アーム
７９…位置決め突部
８０…係止突起
８１，８１ａ〜８１ｃ…第１凸部
８２ａ〜８２ｃ…第２凸部
【図１】
2019186115.tif 000003
【図２】
2019186115.tif 000004
【図３】
2019186115.tif 000005
【図４】
2019186115.tif 000006
【図５】
2019186115.tif 000007
【図６】
2019186115.tif 000008
【図７】
2019186115.tif 000009
【図８】
2019186115.tif 000010